Podtech/llm-jp-corpus-v4-ja_patent huggingface dataset:
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
メモリに記憶されている少なくとも前後に撮影した画像と撮影領域の一部を重複しながら連続して撮影された複数枚の画像のうちの所定の画像から特徴部を抽出する特徴部抽出部と、
前記特徴部抽出部で抽出された特徴部を含む画像を、前記メモリに記憶されている前記所定の画像を除く前記複数枚の画像から検出する検出部と、
この検出部により検出された画像と前記所定の画像とを、前記特徴部のそれぞれが合致するように１枚の画像に合成する合成部と、
を具備することを特徴とするカメラ。
【請求項２】
前記連続して撮影された複数枚の画像は、少なくとも３枚の画像であり、
前記所定の画像は、前記複数枚の画像のうちおよそ中間の撮影順に位置する画像であり、
前記特徴部抽出部は、このおよそ中間の撮影順に位置する画像を第１基準画像として選択し、この第１基準画像の中央付近に位置する特徴部を第１特徴部として抽出し、
前記検出部は、前記メモリに記憶された複数枚の画像から、前記第１特徴部を画像の右端と左端とに有する画像を第２基準画像と第３基準画像として検出し、
前記合成部は、前記第１乃至第３基準画像を１枚の画像に合成することを特徴とする請求項１に記載のカメラ。
【請求項３】
前記連続して撮影された複数枚の画像は、少なくとも３枚の画像であり、
前記所定の画像は、前記メモリに記憶された複数枚の画像のうちの任意の画像であり、
前記特徴部抽出部は、この所定の画像を第１基準画像として、この第１基準画像の中央付近から第１特徴部を抽出し、
前記検出部は、この第１特徴部を左右いずれかの端部に有する第２基準画像が前記メモリに記憶された複数枚の画像のうちから検出できるかどうか判定し、検出可能であれば、検出された画像を第２基準画像とし、不可能であれば、前記合成部は、前記第１基準画像を出力し、
前記第２基準画像が検出された場合、前記特徴部抽出部は、この第２基準画像の左右いずれかの端部から第２特徴部を抽出し、
前記検出部は、この第２特徴部を左右いずれかの端部に有する第２基準画像以外の第３基準画像が前記メモリに記憶された複数枚の画像のうちから検出できるかどうか判定し、検出可能であれば、検出された画像を第３基準画像とし、不可能であれば、前記合成部は、前記第１及び第２基準画像を合成して出力し、
前記第３基準画像が検出された場合、前記合成部は、前記第１乃至第３基準画像を合成して出力することを特徴とする請求項１に記載のカメラ。
【請求項４】
前記連続して撮影された複数枚の画像は、少なくとも３枚の画像であり、
前記所定の画像は、前記メモリに記憶された複数枚の画像のうちの任意の画像であり、
前記特徴部抽出部は、この所定の画像を第１基準画像として、この第１基準画像の中央付近から第１特徴部を抽出し、
前記検出部は、この第１特徴部を左右いずれかの端部に有する第２基準画像が前記メモリに記憶された複数枚の画像のうちから検出できるかどうか判定し、検出可能であれば、検出された画像を第２基準画像とし、不可能であれば、前記合成部は、前記第１基準画像を出力し、
前記第２基準画像が検出された場合、前記特徴部抽出部は、この第２基準画像の第１特徴部がある端部と反対側の端部から第２特徴部を抽出し、
前記検出部は、この第２特徴部を、第２基準画像が第１特徴部を有する端部と同じ側の端部に有する第３基準画像が前記メモリに記憶された複数枚の画像のうちから検出できるかどうか判定し、検出可能であれば、検出された第３基準画像とし、不可能であれば、前記合成部は、前記第１及び第２基準画像を合成して出力し、
前記第３基準画像が検出された場合、前記合成部は、前記第１乃至第３基準画像を合成して出力することを特徴とする請求項１に記載のカメラ。
【請求項５】
前記検出部は、画面水平及び垂直方向にコントラスト変化がある部分を特徴部として検出することを特徴とする請求項１に記載のカメラ。
【請求項６】
連続撮影を行なう際、
被写体をモニタする画像表示部と、
この画像表示部内に連続撮影時の前記特徴部の位置を数値化して表示をするインジケータ表示部と、
をさらに具備することを特徴とする請求項１に記載のカメラ。
【請求項７】
被写体をモニタする画像表示部と、
この画像表示部に表示された画像の内の前記画像表示部の一方の端部に表示された所定被写体の画像を検出する画像検出部と、
前記所定被写体の画像が連続撮影によって前記画像表示部の他方の端部に移動することを追跡する像追跡部と、
この像追跡部での追跡結果を用いて、前記連続撮影によって得られた複数枚の撮影画像を合成する合成部と、
を具備することを特徴とするカメラ。
【請求項８】
前記所定被写体の画像は、人物の顔部分の画像であることを特徴とする請求項１２に記載のカメラ。
【請求項９】
少なくとも前後に撮影した画像と撮影領域の一部を重複しながら連続して撮影された複数枚の画像を１枚の画像に合成する画像処理装置のコンピュータを制御するための画像処理プログラムであって、
前記複数枚の画像のうちの所定の画像から特徴部を抽出する特徴部抽出部、
前記特徴部抽出部で抽出された特徴部を含む画像を、前記所定の画像を除く前記複数枚の画像から検出する検出部、
この検出部により検出された画像と前記所定の画像とを、前記特徴部のそれぞれが合致するように１枚の画像に合成する合成部、
として機能させるようにしたコンピュータ読み込み可能な画像処理プログラム。
【手続補正２】
【補正対象書類名】明細書
【補正対象項目名】発明の名称
【補正方法】変更
【補正の内容】
【発明の名称】カメラ、及び画像処理プログラム
【手続補正３】
【補正対象書類名】明細書
【補正対象項目名】００１１
【補正方法】削除
【補正の内容】
【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
画像データ及び音声データのスライドショー再生を行う再生装置であって、
記録メディアに記録された複数の画像データの中から画像データを選択する選択手段と、
当該選択手段で選択された画像データの画像に対して、音声をアフレコして音声データを当該記録メディアに記録する記録手段と、
当該記録手段でアフレコ記録された音声の長さを計測する計測手段と、
当該スライドショー再生における各画像の所定の表示時間と当該アフレコ記録された音声の長さとを比較し、当該アフレコ記録された音声のほうが長い場合には、当該選択手段で選択された画像データの画像の表示時間を当該アフレコ記録された音声の長さとし、当該アフレコ記録された音声のほうが短い場合には、当該選択手段で選択された画像データの画像の表示時間を当該所定の表示時間とするスライドショー再生リストを生成する生成手段
とを具備することを特徴とする再生装置。
【請求項２】
当該生成手段が、当該記録メディアの中に当該スライドショー再生リストが存在するか否かを判別し、当該スライドショー再生リストが既に存在する場合には、当該スライドショー再生リストを更新し、当該スライドショー再生リストが存在しない場合には、当該スライドショー再生リストを新たに生成することを特徴とする請求項１に記載の再生装置。
【請求項３】
当該記録手段は、新たな画像データを当該記録メディアに記録可能であり、
当該生成手段は、当該記録手段による新たな画像データの記録に応じて、当該新たな画像データをスライドショー再生の対象に加えるように当該スライドショー再生リストを更新することを特徴とする請求項２に記載の再生装置。
【請求項４】
当該スライドショー再生リストは、当該記録メディアに記録された画像データの格納場所を示すアドレスと、当該記録手段で記録された音声データの格納場所を示すアドレスとを含むことを特徴とする請求項１乃至３のいずれか一項に記載の再生装置。
【請求項５】
画像データ及び音声データのスライドショー再生を行う再生装置の制御方法であって、
記録メディアに記録された複数の画像データの中から画像データを選択する選択ステップと、
当該選択ステップで選択された画像データの画像に対して、音声をアフレコして音声データを当該記録メディアに記録する記録ステップと、
当該記録ステップでアフレコ記録された音声の長さを計測する計測ステップと、
当該スライドショー再生における各画像の所定の表示時間と当該アフレコ記録された音声の長さとを比較し、当該アフレコ記録された音声のほうが長い場合には、当該選択ステップで選択された画像データの画像の表示時間を当該アフレコ記録された音声の長さとし、当該アフレコ記録された音声のほうが短い場合には、当該選択ステップで選択された画像データの画像の表示時間を当該所定の表示時間とするスライドショー再生リストを生成する生成ステップ
とを具備することを特徴とする再生装置の制御方法。
【手続補正２】
【補正対象書類名】明細書
【補正対象項目名】発明の名称
【補正方法】変更
【補正の内容】
【発明の名称】再生装置及びその制御方法
【手続補正３】
【補正対象書類名】明細書
【補正対象項目名】０００１
【補正方法】変更
【補正の内容】
【０００１】
本発明は、音声をアフレコ可能で、画像及び音声をスライドショー再生する再生装置及びその制御方法に関する。
【手続補正４】
【補正対象書類名】明細書
【補正対象項目名】０００７
【補正方法】変更
【補正の内容】
【０００７】
そこで、本発明は、かかる問題点に鑑み、アフレコ処理の際に、自動的に再生リストを作成する再生装置及びその制御方法を提示することを目的とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
上記の目的を達成するために、本発明に係る再生装置は、画像データ及び音声データのスライドショー再生を行う再生装置であって、記録メディアに記録された複数の画像データの中から画像データを選択する選択手段と、当該選択手段で選択された画像データの画像に対して、音声をアフレコして音声データを当該記録メディアに記録する記録手段と、当該記録手段でアフレコ記録された音声の長さを計測する計測手段と、当該スライドショー再生における各画像の所定の表示時間と当該アフレコ記録された音声の長さとを比較し、当該アフレコ記録された音声のほうが長い場合には、当該選択手段で選択された画像データの画像の表示時間を当該アフレコ記録された音声の長さとし、当該アフレコ記録された音声のほうが短い場合には、当該選択手段で選択された画像データの画像の表示時間を当該所定の表示時間とするスライドショー再生リストを生成する生成手段とを具備することを特徴とする。
【手続補正７】
【補正対象書類名】明細書
【補正対象項目名】００１０
【補正方法】変更
【補正の内容】
【００１０】
本発明に係る再生装置の制御方法は、画像データ及び音声データのスライドショー再生を行う再生装置の制御方法であって、記録メディアに記録された複数の画像データの中から画像データを選択する選択ステップと、当該選択ステップで選択された画像データの画像に対して、音声をアフレコして音声データを当該記録メディアに記録する記録ステップと、当該記録ステップでアフレコ記録された音声の長さを計測する計測ステップと、当該スライドショー再生における各画像の所定の表示時間と当該アフレコ記録された音声の長さとを比較し、当該アフレコ記録された音声のほうが長い場合には、当該選択ステップで選択された画像データの画像の表示時間を当該アフレコ記録された音声の長さとし、当該アフレコ記録された音声のほうが短い場合には、当該選択ステップで選択された画像データの画像の表示時間を当該所定の表示時間とするスライドショー再生リストを生成する生成ステップとを具備することを特徴とする。
【手続補正８】
【補正対象書類名】明細書
【補正対象項目名】００１１
【補正方法】変更
【補正の内容】
【００１１】
本発明によれば、アフレコ記録された音声の長さと所定の表示時間とを比較し、アフレコ記録された音声の長さが当該所定の表示時間より長い場合に、画像の表示時間をアフレコ記録された音声の長さとすることにより、ユーザの手を煩わせることなしに、アフレコの音声記録時間に応じたスライドショー再生リストを生成できる。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
光学系を介して得られる被写体の像を光電変換し第１画像信号を生成する第１撮像手段と、
光学系を介して得られる被写体の像を光電変換し第２画像信号を生成する第２撮像手段と、
前記第１撮像手段から入力した第１画像信号に第１の画像処理を施して第１画像情報を生成可能であり、前記第２撮像手段から入力した第２画像信号に第２の画像処理を施して第２画像情報を生成可能である画像処理手段と、
前記第１画像情報を表示可能な画像表示手段と、
前記第２画像情報を記憶可能な情報記憶手段と、
前記画像処理手段によって生成された第１画像情報を表示させるよう前記画像表示手段へ出力するか、前記画像処理手段によって生成された第２画像情報を記憶させるよう前記情報記憶手段へ出力するか、を切り替え可能な切替手段と、
を備えた撮影装置。
【請求項２】
前記画像処理手段は、アナログ信号として入力された前記第１撮像手段からの前記第１画像信号と、アナログ信号として入力された前記第２撮像手段からの前記第２画像信号とをデジタル信号に変換するＡ／Ｄ変換部を備え、
前記第１撮像手段と前記Ａ／Ｄ変換部との間の配線は、前記第２撮像手段と前記Ａ／Ｄ変換部との間の配線よりも短く形成されている、請求項１に記載の撮影装置。
【請求項３】
前記第１撮像手段は、前記第２撮像手段の光学系と少なくとも一部を共有しており、前記第２撮像手段により得られる被写体の像に対して反転した像が得られるよう配置されている、入射光を反射するミラーを該第１撮像手段の光学系に有している、請求項１又は２に記載の撮影装置。
【請求項４】
請求項１〜３のいずれかに記載の撮影装置であって、
前記第１撮像手段から入力した第１画像信号を前記画像処理手段へ出力するか前記第２撮像手段から入力した第２画像信号を前記画像処理手段へ出力するかのいずれかの指示である画像信号切替指示を取得可能な信号切替取得手段と、
前記信号切替取得手段が取得した前記画像信号切替指示に応じて前記切替手段を切り替えるよう制御する信号切替制御手段と、
を備えた撮影装置。
【請求項５】
請求項１〜４のいずれかに記載の撮影装置であって、
前記第１撮像手段が前記第１画像信号を生成する処理に関する第１タイミングと前記第２撮像手段が前記第２画像信号を生成する処理に関する第２タイミングとのいずれかを設定可能であるタイミング設定手段、を備え、
前記切替手段は、前記タイミング設定手段が前記第１タイミングと前記第２タイミングとのいずれを設定するかをも切り替え可能である、
撮影装置。
【請求項６】
請求項５に記載の撮影装置であって、
前記第１撮像手段が前記第１画像信号を生成する処理に関する第１タイミングと前記第２撮像手段が前記第２画像信号を生成する処理に関する第２タイミングとのいずれを設定するかの指示である時期設定切替指示を取得可能な設定切替取得手段と、
前記設定切替取得手段が取得した前記時期設定切替指示に応じて前記切替手段を切り替えるよう制御する設定切替制御手段と、
を備えた撮影装置。
【請求項７】
請求項１〜６のいずれかに記載の撮影装置であって、
前記第１撮像手段から入力した前記第１画像信号を所定の形式に変換し該変換後の第１画像信号を前記画像処理手段へ出力可能であり、前記第２撮像手段から入力した前記第２画像信号を所定の形式に変換し該変換後の第２画像信号を前記画像処理手段へ出力可能である信号変換手段、を備え、
前記切替手段は、前記第１撮像手段から入力した第１画像信号を前記信号変換手段を介して前記画像処理手段へ出力するか前記第２撮像手段から入力した第２画像信号を前記信号変換手段を介して前記画像処理手段へ出力するかをも切り替え可能である、
撮影装置。
【請求項８】
請求項７に記載の撮影装置であって、
前記第１撮像手段から入力した前記第１画像信号を所定の形式に変換し該変換後の第１画像信号を前記画像処理手段へ出力するか前記第２撮像手段から入力した前記第２画像信号を所定の形式に変換し該変換後の第２画像信号を前記画像処理手段へ出力するかのいずれかの指示である信号変換切替指示を取得可能な変換切替取得手段と、
前記変換切替取得手段が取得した前記信号変換切替指示に応じて前記切替手段を切り替えるよう制御する変換切替制御手段と、
を備えた撮影装置。
【請求項９】
光学系を介して得られる被写体の像を光電変換し第１画像信号を生成する第１撮像手段と、光学系を介して得られる被写体の像を光電変換し第２画像信号を生成する第２撮像手段と、前記第１撮像手段から入力した第１画像信号に第１の画像処理を施して第１画像情報を生成可能であり、前記第２撮像手段から入力した第２画像信号に第２の画像処理を施して第２画像情報を生成可能である画像処理手段と、前記第１画像情報を表示可能な画像表示手段と、前記第２画像情報を記憶可能な情報記憶手段と、を備えた撮影装置の制御方法であって、
前記画像処理手段に前記第１画像情報を生成させ該生成した第１画像情報を表示させるよう前記画像表示手段へ出力させるか、前記画像処理手段に前記第２画像情報を生成させ該生成した第２画像情報を記憶させるよう前記情報記憶手段へ出力させるか、を切り替えるステップ、
を含む撮影装置の制御方法。
【請求項１０】
請求項９に記載の撮影装置の制御方法の各ステップを１又は複数のコンピュータに実現させるためのプログラム。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
カラープリンタに装着されている色材の情報を取得する色材情報取得手段と；
入力データの色空間特性を設定する入力色空間特性設定手段と；
プリンタの出力色空間特性を設定する出力色空間特性設定手段と；
上記入力色空間特性設定手段と上記出力色空間特性設定手段との設定状態に基づいて、色変換用のカラープロファイルを選択するカラープロファイル選択手段と；
上記カラープロファイル選択手段が選択したカラープロファイルによって色変換を行う色変換手段と；
を有し、上記入力色空間特性設定手段は、入力色空間特性をオペレータが選択的に指定するためのユーザインタフェースを具備し、上記色材情報取得手段が取得した色材の情報に基づいて決定された入力色空間特性の一部の項目が選択されないように、上記ユーザインタフェースを制御する手段であることを特徴とする画像処理装置。
【請求項２】
請求項１において、
上記色材情報取得手段は、プリンタの色再現範囲を拡大するための特色色材の装着状態を取得する手段であり、
上記入力色空間特性設定手段は、上記色材情報取得手段による取得結果が、特色色材非装着を表す場合には、色域の広い入力色空間特性が選択されないように上記ユーザインタフェースを制御する手段であることを特徴とする画像処理装置。
【請求項３】
カラープリンタに装着されている色材の情報を取得する色材情報取得手段と；
入力データの色空間特性を設定する入力色空間特性設定手段と；
プリンタの色空間特性を設定する出力色空間特性設定手段と；
上記入力色空間特性設定手段と上記出力色空間特性設定手段との設定状態に基づいて、色変換用のカラープロファイルを選択するカラープロファイル選択手段と；
上記カラープロファイル選択手段によって選択されたカラープロファイルによって色変換を行う色変換手段と；
を有し、上記入力色空間特性設定手段は、オペレータが上記入力色空間特性を選択的に指定するためのユーザインタフェースを具備し、上記色材情報取得手段が取得した色材情報に基づいて決定した入力色空間特性の一部の項目を選択した場合に、警告を発するように上記ユーザインタフェースを制御することを特徴とする画像処理装置。
【請求項４】
請求項３において、
上記色材情報取得手段は、プリンタの色再現範囲を拡大するための特色色材の装着状態を取得する手段であり、
上記入力色空間特性設定手段は、上記色材情報取得手段による取得結果が、特色色材非装着を表す場合には、色域の広い入力色空間特性を選択した場合に警告を発するように、上記ユーザインタフェースを制御することを特徴とする画像処理装置。
【請求項５】
カラープリンタに装着されている色材の情報を取得する色材情報取得工程と；
入力データの色空間特性を設定する入力色空間特性設定工程と；
プリンタの色空間特性を設定する出力色空間特性設定工程と；
上記入力色空間特性設定工程と上記出力色空間特性設定工程とでの設定状態に基づいて、色変換用のカラープロファイルを選択するカラープロファイル選択工程と；
上記カラープロファイル選択工程で選択されたカラープロファイルによって色変換を行う色変換工程と；
を有し、上記入力色空間特性設定工程は、ユーザインタフェースを用いてオペレータが、入力色空間特性を選択的に指定する工程であり、上記入力色空間特性設定工程において上記ユーザインタフェースは、上記色材情報取得工程で取得された色材情報に基づいて決定された入力色空間特性の一部の項目を選択できないように制御されることを特徴とする画像処理方法。
【請求項６】
請求項５において、
上記色材情報取得工程は、上記プリンタの色再現範囲を拡大する特色色材の装着状態を取得する工程であり、
上記入力色空間特性設定工程は、上記色材情報取得工程での取得結果が特色色材非装着を表す場合に、色域の広い入力色空間特性を選択できないように、上記ユーザインタフェースが制御されることを特徴とする画像処理方法。
【請求項７】
カラープリンタに装着されている色材の情報を取得する色材情報取得工程と；
入力データの色空間特性を設定する入力色空間特性設定工程と；
プリンタの色空間特性を設定する出力色空間特性設定工程と；
上記入力色空間特性設定工程と上記出力色空間特性設定工程とでの設定状態に基づいて、色変換用のカラープロファイルを選択するカラープロファイル選択工程と；
上記カラープロファイル選択工程で選択されたカラープロファイルによって色変換を行う色変換工程と；
を有し、上記入力色空間特性設定工程は、オペレータがユーザインタフェースを用いて入力色空間特性を選択的に指定する工程を具備し、同工程において上記ユーザインタフェースは、少なくとも上記色材情報取得工程で取得された色材情報に基づいて決定した入力色空間特性の一部の項目を選択した場合に、警告を発するように制御することを特徴とする画像処理方法。
【請求項８】
請求項７において、
上記色材情報取得工程は、プリンタの色再現範囲を拡大するための特色色材の装着状態を取得する工程であり、上記入力色空間特性設定工程では、上記ユーザインタフェースは、上記色材情報取得工程での取得結果が特色色材非装着を表す場合、色域の広い入力色空間特性を選択すると、警告を発するように制御されることを特徴とする画像処理方法。
【請求項９】
請求項５〜請求項８のいずれか１項に記載されている工程を、コンピュータ制御プログラムとして記憶している記憶媒体。
【手続補正２】
【補正対象書類名】明細書
【補正対象項目名】００７３
【補正方法】変更
【補正の内容】
【００７３】
全ての選択項目に対して、設定可／不可の状態の設定を終えると、Ｓ２１において、未設定の選択項目はないと判断し、選択項目制御の動作を終了する。
【手続補正３】
【補正対象書類名】明細書
【補正対象項目名】００９８
【補正方法】変更
【補正の内容】
【００９８】
また、出力プロファイル保持部５４に記憶されている出力プロファイルは、ＲＩＰ５２とともにホストコンピュータ５０に予めインストールされている。ユーザが所望するプロファイルを、ユーザが、出力プロファイル保持部５４に配置するようにしてもよい。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
第１形式のコンテンツ情報が記録された再生専用光ディスクと、前記第１形式とは異なる第２形式を有する第１及び第２の記録型光ディスクとを順次又は同時に保持可能なコンテンツオーサリング装置と、ダウンロード要求に基づいて、配信用記憶装置内の該当する記憶内容をダウンロード配信可能な配信装置と、暗号化及び復号用のコンテンツ鍵情報を管理用記憶装置に記憶して管理する鍵管理装置とを備えたコンテンツ配信システムであって、
前記コンテンツオーサリング装置は、
前記再生専用光ディスクを保持しているとき、前記再生専用光ディスクから前記第１形式のコンテンツ情報を読み出すための手段と、
前記読み出した第１形式のコンテンツ情報が書き込まれる記憶装置と、
前記記憶装置内の第１形式のコンテンツ情報を変換し、前記第２形式のコンテンツ情報を得る手段と、
前記コンテンツ情報の付加情報を作成する手段と、
前記コンテンツ鍵情報を生成する手段と、
前記コンテンツ鍵情報に基づいて、前記第２形式のコンテンツ情報を暗号化し、暗号化コンテンツ情報を得る手段と、
前記第１の記録型光ディスクを保持しているとき、前記暗号化コンテンツ情報及び前記付加情報を当該第１の記録型光ディスクに書き込む手段と、
前記第２の記録型光ディスクを保持しているとき、前記コンテンツ鍵情報を当該第２の記録型光ディスクのメディア固有情報に基づいて暗号化し、暗号化コンテンツ鍵情報を得る手段と、
前記暗号化コンテンツ鍵情報及び前記付加情報を前記第２の記録型光ディスクメディアに書き込む手段とを備えており、
前記配信装置は、
前記コンテンツオーサリング装置による書き込み後の第１の記録型光ディスクを保持するとき、当該第１の記録型光ディスクから暗号化コンテンツ情報及び付加情報を読み出す手段と、
前記読み出した暗号化コンテンツ情報及び付加情報を前記配信用記憶装置に書き込む手段とを備えており、
前記鍵管理装置は、
前記コンテンツオーサリング装置による書き込み後の第２の記録型光ディスクを保持するとき、当該第２の記録型光ディスクからメディア固有情報、暗号化コンテンツ鍵情報及び付加情報を読み出す手段と、
前記読み出したメディア固有情報に基づいて、暗号化コンテンツ鍵情報を復号し、コンテンツ鍵情報を得る手段と、
前記コンテンツ鍵情報及び付加情報を前記管理用記憶装置に書き込む手段とを備えたことを特徴とするコンテンツ配信システム。
【請求項２】
第１形式のコンテンツ情報が記録された再生専用光ディスクと、前記第１形式とは異なる第２形式を有する第１及び第２の記録型光ディスクとを順次又は同時に保持可能なコンテンツオーサリング装置であって、
前記再生専用光ディスクを保持しているとき、前記再生専用光ディスクから前記第１形式のコンテンツ情報を読み出すための手段、
前記読み出した第１形式のコンテンツ情報が書き込まれる記憶装置と、
前記記憶装置内の第１形式のコンテンツ情報を変換し、前記第２形式のコンテンツ情報を得る手段と、
暗号化及び復号用のコンテンツ鍵情報を生成する手段と、
前記コンテンツ鍵情報に基づいて、前記第２形式のコンテンツ情報を暗号化し、暗号化コンテンツ情報を得る手段と、
前記第１の記録型光ディスクを保持しているとき、前記暗号化コンテンツ情報を当該第１の記録型光ディスクに書き込む手段と、
前記第２の記録型光ディスクを保持しているとき、前記コンテンツ鍵情報を当該第２の記録型光ディスクのメディア固有情報に基づいて暗号化し、暗号化コンテンツ鍵情報を得る手段と、
前記暗号化コンテンツ鍵情報を前記第２の記録型光ディスクメディアに書き込む手段と
を備えたことを特徴とするコンテンツオーサリング装置。
【請求項３】
ダウンロード要求に基づいて、記憶装置内の該当する記憶内容をダウンロード配信可能な配信装置であって、
配信対象の暗号化コンテンツ情報及び付加情報が書き込まれた第１の記録型光ディスクを保持するとき、当該第１の記録型光ディスクから暗号化コンテンツ情報及び付加情報を読み出す手段と、
前記読み出した暗号化コンテンツ情報及び付加情報を前記記憶装置に書き込む手段と
を備えたことを特徴とする配信装置。
【請求項４】
コンテンツ鍵情報を記憶装置に記憶して管理する鍵管理装置であって、
メディア固有情報を有し、当該メディア固有情報により暗号化されてなる暗号化コンテンツ鍵情報及び付加情報が書き込まれた第２の記録型光ディスクを保持するとき、当該第２の記録型光ディスクからメディア固有情報、暗号化コンテンツ鍵情報及び付加情報を読み出す手段と、
前記読み出したメディア固有情報に基づいて、暗号化コンテンツ鍵情報を復号し、コンテンツ鍵情報を得る手段と、
前記コンテンツ鍵情報及び付加情報を前記記憶装置に書き込む手段と
を備えたことを特徴とする鍵管理装置。
【請求項５】
第１形式のコンテンツ情報が記録された再生専用光ディスクと、前記第１形式とは異なる第２形式を有する第１及び第２の記録型光ディスクとを順次又は同時に保持可能であり、記憶装置を備えたコンテンツオーサリング装置に用いられるプログラムであって、
前記コンテンツオーサリング装置のコンピュータを、
前記再生専用光ディスクを保持しているとき、前記再生専用光ディスクから前記第１形式のコンテンツ情報を読み出すための手段、
前記読み出した第１形式のコンテンツ情報を前記記憶装置に書き込む手段、
前記記憶装置内の第１形式のコンテンツ情報を変換し、前記第２形式のコンテンツ情報を得る手段、
暗号化及び復号用のコンテンツ鍵情報を生成する手段、
前記コンテンツ鍵情報に基づいて、前記第２形式のコンテンツ情報を暗号化し、暗号化コンテンツ情報を得る手段、
前記第１の記録型光ディスクを保持しているとき、前記暗号化コンテンツ情報を当該第１の記録型光ディスクに書き込む手段、
前記第２の記録型光ディスクを保持しているとき、前記コンテンツ鍵情報を当該第２の記録型光ディスクのメディア固有情報に基づいて暗号化し、暗号化コンテンツ鍵情報を得る手段、
前記暗号化コンテンツ鍵情報を前記第２の記録型光ディスクメディアに書き込む手段、
として機能させるためのプログラム。
【手続補正書】
【提出日】平成21年5月21日(2009.5.21)
【手続補正１】
【補正対象書類名】特許請求の範囲
【補正対象項目名】請求項１
【補正方法】変更
【補正の内容】
【請求項１】
回転軸線の周りで回転するロータ部と、
該ロータ部を回転自在に支持する軸方向に離間して配置された軸受ユニットと、
該軸受ユニットを保持する筒部を有するベースと、
固定部材によって前記ベースに固定されるステータと、
該ステータの軸方向下側に配置される回路基板と、
を備えるブラシレスモータであって、
前記ステータは、
径方向に放射状に伸びる複数のティース部を有するステータコアと、
前記ティース部の周囲を導電線が複数回巻回することによって形成されるコイルと、
前記ティース間を前記導電線が導通状態を保ちながら渡る渡り線部と、
を有し、
前記ベースには、前記ステータの一部を載置するステータ載置部が形成され、
前記ステータ載置部の上面には、前記固定部材と嵌合する開口穴が形成され、
前記ステータにおける前記ステータ載置部の前記開口穴に対応する位置には、前記固定部材を挿通する貫通部が形成され、
前記ステータ載置部の外周側に、前記ステータのコアの外周側との間に間隙を設ける切り欠き部が形成され、
前記渡り線部の一部が、前記間隙に挿通されることを特徴とするブラシレスモータ。
【手続補正２】
【補正対象書類名】明細書
【補正対象項目名】００１８
【補正方法】変更
【補正の内容】
【００１８】
本発明の請求項１によれば、回転軸線の周りで回転するロータ部と、該ロータ部を回転自在に支持する軸方向に離間して配置された軸受ユニットと、該軸受ユニットを保持する筒部を有するベースと、該ベースの外周側に配置され、固定部材によって前記ベースに固定されるステータと、該ステータの軸方向下側に配置される回路基板と、を備えるブラシレスモータであって、前記ステータは、径方向に放射状に伸びる複数のティース部を有するステータコアと、前記ティース部の周囲を導電線が複数回巻回することによって形成されるコイルと、前記ティース間を前記導電線が導通状態を保ちながら渡る渡り線部と、を有し、前記ベースには、前記ステータの一部を載置するステータ載置部が形成され、前記ステータ載置部の上面には、前記固定部材と嵌合する開口穴が形成され、前記ステータにおける前記ステータ載置部の前記開口穴に対応する位置には、前記固定部材を挿通する貫通部が形成され、前記ステータ載置部の外周側に、前記ステータのコアの外周側との間に間隙を設ける切り欠き部が形成され、前記渡り線部の一部が、前記間隙に挿通されることを特徴とする。
【手続補正３】
【補正対象書類名】明細書
【補正対象項目名】００１９
【補正方法】変更
【補正の内容】
【００１９】
本発明の請求項１に従えば、ステータとベースに形成されたステータ載置部との間に切り欠き部を設けるので、ステータと軸方向に対向するベースとの間には間隙が設けられる。この間隙にステータの渡り線部の一部を挿通することによって、渡り線部がステータとベースとの間に挟まれることを防止することができる。その結果、導電線の断線および短絡を防止することができる。
【手続補正書】
【提出日】平成21年9月28日(2009.9.28)
【手続補正１】
【補正対象書類名】明細書
【補正対象項目名】発明の名称
【補正方法】変更
【補正の内容】
【発明の名称】通信制御方法
【手続補正２】
【補正対象書類名】特許請求の範囲
【補正対象項目名】全文
【補正方法】変更
【補正の内容】
【特許請求の範囲】
【請求項１】
相互に接続された在圏網とホーム網と、前記在圏網内の在圏ユーザプレーン制御装置および在圏ポリシー制御装置と、前記ホーム網内のホームポリシー制御装置およびホームゲートウェイ装置と、を備える移動通信システムにおける通信制御方法であって、
前記ホームポリシー制御装置が前記在圏ポリシー制御装置に対して在圏リソース割り当て処理を行う第１のステップと、
前記ホームポリシー制御装置が前記ホームゲートウェイ装置に対してホームリソース割り当て処理を行う第２のステップとを備え、
前記第１のステップと前記第２のステップが並行して実行される、通信制御方法。
【請求項２】
前記ホームポリシー制御装置が、前記第１のステップによるコア網ベアラのリソース量と、前記第２のステップによる在圏網ベアラのリソース量とを比較し、それらの量が一致しなければ一致させる第３のステップを更に有する、
請求項１に記載の通信制御方法。
【請求項３】
前記ホームポリシー制御装置が、前記コア網ベアラのリソース量と前記在圏網ベアラのリソース量のうち、多い方を少ない方に一致させる、請求項２に記載の通信制御方法。
【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
イメージセンサと、
前記イメージセンサを複数の領域に分割し、領域毎に異なる露光量で露光して領域毎に画像信号を読み出す読み出し制御手段と、
領域毎に読み出された、互いに露光量の異なる画像信号に応じて撮影時の適正露光量を設定する撮影露光量設定手段と、
を有することを特徴とする撮像装置。
【請求項２】
請求項１記載の装置において、
前記読み出し制御手段は、前記イメージセンサの領域毎に露光時間を異にして読み出すことで領域毎の露光量を異にすることを特徴とする撮像装置。
【請求項３】
請求項１記載の装置において、
前記読み出し制御手段は、前記イメージセンサの領域毎に読み出し加算ライン数を異にして読み出すことで領域毎の露光量を異にすることを特徴とする撮像装置。
【請求項４】
請求項１記載の装置において、
前記複数の領域は、領域毎に決められたライン数毎に縦または横に交互に設けられていることを特徴とする撮像装置。
【請求項５】
イメージセンサと、
ストロボ装置と、
本発光の前に前記ストロボ装置に予備発光を行わせる予備発光制御手段と、
前記イメージセンサを複数の領域に分割し、前記予備発光に対応して領域毎に異なる露光量で露光して領域毎に画像信号を読み出す読み出し制御手段と、
前記領域毎に読み出された、互いに露光量の異なる画像信号に応じて撮影時の適正露光量を設定する撮影露光量設定手段と、
を有することを特徴とする撮像装置。
【請求項６】
イメージセンサと、
前記イメージセンサを複数の領域に分割し、領域毎に異なる露光量で露光して領域毎に画像信号を読み出す読み出し制御手段と、
領域毎に読み出された画像信号を撮像画像として記録する画像記録手段と、
を有することを特徴とする撮像装置。
【手続補正書】
【提出日】平成21年5月13日(2009.5.13)
【手続補正１】
【補正対象書類名】特許請求の範囲
【補正対象項目名】請求項６
【補正方法】変更
【補正の内容】
【請求項６】
第１の時間間隔で並んだそれぞれＮビット（Ｎは正の整数）の複数個の離散データを入力するデータ入力ステップと、
上記データ入力ステップで入力された各離散データのそれぞれに１階微分値を付加する１階微分値付加ステップと、
上記１階微分値付加ステップで得られた、１階微分値が付加された複数個の離散データを用い、２つの離散データの間に存在する１個または複数個の離散データと、該２つの離散データ、該２つの離散データに付加されている１階微分値および該２つの離散データの時間間隔情報に基づいて生成された該２つの離散データ位置を通過する曲線上の値との差が許容誤差範囲内にあるとき、該２つの離散データの間に存在する上記1個または複数個の離散データを間引いて、時間間隔が不均質な、上記１階微分値が付加された複数個の離散データを得る均質不均質変換ステップと、
上記均質不均質変換ステップで得られた時間間隔が不均質で上記１階微分値が付加された複数の離散データに時間間隔情報を付加して不均質データを生成する不均質データ生成ステップと
を備えることを特徴とするデータ処理方法。
【手続補正２】
【補正対象書類名】明細書
【補正対象項目名】００４４
【補正方法】変更
【補正の内容】
【００４４】
均質データ入力部１１-0は、上述したように１階微分値付加部１０５で得られた、時間間隔が均質で１階微分値が付加された複数個の離散データを入力する。
【手続補正３】
【補正対象書類名】明細書
【補正対象項目名】００９７
【補正方法】変更
【補正の内容】
【００９７】
１サイクル目では、係数モジュール７０５で係数coef1を得るためのΔｔ，Ｙ(i)′の乗算が行われ、係数モジュール７０６で係数coef2を得るためのＹ(j)′，２Ｙ(i)′の加算が行われ、差分モジュール７０７で差分値（Ｙ(j)−Ｙ(i)）を得るためのＹ(j)，Ｙ(i)の減算が行われ、係数モジュール７０８で、係数coef3を得るためのＹ(j)′，Ｙ(i)′の加算が行われる。
【手続補正４】
【補正対象書類名】明細書
【補正対象項目名】０１２２
【補正方法】変更
【補正の内容】
【０１２２】
差分モジュール７１７は、図１６の補間値生成部７００を構成する差分モジュール７０７と同様に、分配モジュール７１１から供給される離散データＹ(i)，Ｙ(j)を取り込み、それらに基づいて、差分値（Ｙ(j)−Ｙ(i)）を算出する。そして、この差分モジュール７１７は、算出した差分値を、係数モジュール７１６および係数モジュール７１８のそれぞれに供給する。
【手続補正５】
【補正対象書類名】明細書
【補正対象項目名】０１２９
【補正方法】変更
【補正の内容】
【０１２９】
分配モジュール７１１から差分モジュール７１７に離散データＹ(i)，Ｙ(j)が供給され、この差分モジュール７１７では差分値（Ｙ(j)−Ｙ(i)）が算出される。この差分値（Ｙ(j)−Ｙ(i)）は係数モジュール７１６，７１８にそれぞれに供給される。また、分配モジュール７１１から係数モジュール７１６に時間間隔情報Δｔおよび１階微分値Ｙ(i)′，Ｙ(j)′が供給され、この係数モジュール７１６では（８）式に基づいて係数coef2が算出される。また、分配モジュール７１１から係数モジュール７１８に時間間隔情報Δｔおよび１階微分値Ｙ(i)′，Ｙ(j)′が供給され、この係数モジュール７１８では（７）式に基づいて係数coef3が算出される。
【手続補正６】
【補正対象書類名】明細書
【補正対象項目名】０１３８
【補正方法】変更
【補正の内容】
【０１３８】
均質不均質変換部１０６で得られた、１階微分値が付加された複数の離散データは不均質データ生成部１０７に供給される。この不均質データ生成部１０７では、均質不均質変換部１０６で得られた、１階微分値が付加された複数の離散データに、時間間隔情報Δｔが付加されて不均質データが生成される（図１８参照）。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
ノード間相互制御プロトコルを搭載する第１のノードと、前記ノード間相互制御プロトコルを搭載しない第２のノードと、前記第１のノードと前記第２のノードを制御する監視制御装置とからなるネットワークのパス設定方法であって、
前記ノード間相互制御プロトコルを用いたパス開通、削除または変更のパス設定制御の起点となる前記第１のノードにおける前記ノード間相互制御プトロコルを用いたパス設定制御を留保するステップと、前記監視制御装置にパス設定制御開始を通知する第１のメッセージを送出するステップと、
前記監視制御装置における前記第１のメッセージの受信を契機とするパス設定経路を計算するステップと、計算したパス設定に含まれる前記第２のノードに対してパス設定制御を行うステップと、前記第１のメッセージを送出した前記第１のノードに第２のメッセージを送出するステップとを含むことを特徴とするパス設定方法。
【請求項２】
請求項１に記載のパス設定方法であって、
前記設定完了メッセージを受信した前記第１のノードにおける保留していた前記パス設定制御を再開するステップを更に含むことを特徴とするパス設定方法。
【請求項３】
データスイッチにて主信号を切替えるノード装置において、
ＧＭＰＬＳとユーザコントロールプロトコルとを搭載し、監視制御装置に対する装置構成通知手段と、網構成通知手段とを備え、
ＧＭＰＬＳ制御が開始されたとき、ＧＭＰＬＳ制御通知を前記監視制御装置に送信し、前記ＧＭＰＬＳ制御を保留することを特徴とするノード装置。
【請求項４】
請求項３に記載のノード装置であって、
前記監視制御装置からの応答を受信したとき、前記ＧＭＰＬＳ制御を再開することを特徴とするノード装置。
【請求項５】
請求項３に記載のノード装置であって、
前記ユーザコントロールプロトコルは、Ｏ-ＵＮＩ、ＧＭＰＬＳ-ＵＮＩまたはＲＳＶＰ-ＴＥであることを特徴とするノード装置。
【請求項６】
ノード装置から装置構成情報と網構成情報とを受信し、前記装置構成情報と前記網構成情報をデータベースとして保持し、
ＧＭＰＬＳ搭載ノードからＧＭＰＬＳ制御開始メッセージを受信したとき、前記データベースに基いて、経路計算を実施することを特徴とする監視制御装置。
【請求項７】
請求項６に記載の監視制御装置であって、
前記経路計算で得た経路上にＧＭＰＬＳ非搭載ノードが存在するとき、該ＧＭＰＬＳ非搭載ノードにノード設定要求メッセージを送信することを特徴とする監視制御装置。
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
所定時間毎に被写体の画像を取り込む撮像素子と、
前記撮像素子から出力される撮像信号に所定の信号処理を施す信号処理手段と、
前記被写体の動き量を検出する動き量検出手段とを備え、
前記動き量が所定条件を満足する場合に前記撮像素子及び／または前記信号処理手段を駆動させるための動作周波数を変更することを特徴とする撮像装置。
【請求項２】
前記所定条件において、前記動き量が規定量を満たす場合、フレームレートを上昇させることを特徴とする請求項１記載の撮像装置。
【請求項３】
前記所定条件において、前記動き量が規定量を満たしてから所定時間が経過する場合、前記動作周波数を降下させることを特徴とする請求項１および２記載の撮像装置。
【請求項４】
前記所定条件において、前記動き量が規定量を満たさず所定時間が経過する場合、前記動作周波数を降下させることを特徴とする請求項１ないし３記載の撮像装置。
【請求項５】
所定時間毎に被写体の画像を取り込む撮像素子と、
前記撮像素子から出力される撮像信号に所定の信号処理を施す信号処理手段と、
前記被写体の異常を検出する異常検出手段とを備え、
前記異常検出に基づいて前記撮像素子及び／または前記信号処理手段を駆動させるための動作周波数を変更することを特徴とする撮像装置。
【請求項６】
前記異常を検出すると、フレームレートを上昇させることを特徴とする請求項５記載の撮像装置。
【請求項７】
前記異常を検出してから所定時間が経過すると前記動作周波数を降下させることを特徴とする請求項５および６記載の撮像装置。
【請求項８】
前記異常を検出せず所定時間が経過すると前記動作周波数を降下させることを特徴とする請求項５ないし７記載の撮像装置。
【請求項９】
所定時間毎に取り込まれた被写体の撮像信号に所定の信号処理を施す信号処理手段と、
前記信号処理手段により信号処理が施された撮像信号を記憶する記憶手段と、
前記被写体の動き量を検出する動き量検出手段と、
前記動き量が所定条件を満足する場合に動作周波数を変更する周波数変更手段と、
前記動作周波数に基づいて前記記憶手段により記憶される撮像信号の量を制御する制御手段を備える撮像装置。
【手続補正書】
【提出日】平成21年4月20日(2009.4.20)
【手続補正１】
【補正対象書類名】明細書
【補正対象項目名】０００４
【補正方法】変更
【補正の内容】
【０００４】
操作部４１は、例えば、十字キー、決定ボタン、およびキャンセルボタンにより構成されており、ユーザにより操作される。表示部４２は、例えば、液晶パネルで構成され、デジタルカメラ３１で撮像された画像、さらには、各種の設定をする設定画面を表示する。
【手続補正２】
【補正対象書類名】明細書
【補正対象項目名】００５４
【補正方法】変更
【補正の内容】
【００５４】
撮像部１２１は、レンズ系１７１、CCD(Charge Coupled Device)１７２、S/H(Sample/Hold)回路１７３、AGC(Automatic Gain Control)回路１７４、およびA/D(Analog/Digital)変換回路１７５により構成される。
【手続補正３】
【補正対象書類名】明細書
【補正対象項目名】０２０５
【補正方法】変更
【補正の内容】
【０２０５】
そして、ユーザが、表示部１２６に表示された肌色画像２８１0乃至２８１8のうちの、好みの肌色画像２８１nを選択し、さらに、表示部１２６に表示された、図２２に表される白色画像３１２0乃至３１２8と同様の複数の肌色画像のうちの、好みの肌色画像を選択すると、デジタルカメラ８１の制御部１２２では、選択された肌色画像２８１nの色相と、図２２に表される白色画像３１２0乃至３１２8と同様の複数の肌色画像から選択した肌色画像の彩度との組み合わせに対応付けられている色補正マトリクス修正値[c',d',e',f']が、修正パラメータとして設定される。なお、空色画像や緑色画像についても、上述した肌色画像と同様の構成を採用することができる。
【手続補正４】
【補正対象書類名】図面
【補正対象項目名】図１３
【補正方法】変更
【補正の内容】
【図１３】
2007318276.tif 000001
【手続補正書】
【提出日】平成20年11月19日(2008.11.19)
【手続補正１】
【補正対象書類名】特許請求の範囲
【補正対象項目名】請求項１３
【補正方法】変更
【補正の内容】
【請求項１３】
請求項１１において、
前記無線通信装置は、送信した信号に基づいて、ウルトラワイドバンドインパルス信号を受信する特性を制御することを特徴とする無線通信システム。
【手続補正２】
【補正対象書類名】特許請求の範囲
【補正対象項目名】請求項１４
【補正方法】変更
【補正の内容】
【請求項１４】
請求項１３において、
前記送信した信号は、送信側の無線通信装置と受信側の無線通信装置の間の通信状態に関するデータを含むこと特徴とする無線通信システム。
【手続補正３】
【補正対象書類名】特許請求の範囲
【補正対象項目名】請求項１５
【補正方法】変更
【補正の内容】
【請求項１５】
請求項１１において、
前記無線通信装置は、さらに、ウルトラワイドバンドインパルス信号を受信する受信部を備え、前記信号の受信前に検出された信号に基づいて、ウルトラワイドバンドインパルス信号を受信する特性を制御することを特徴とする無線通信システム。
【手続補正書】
【提出日】平成21年5月14日(2009.5.14)
【手続補正１】
【補正対象書類名】特許請求の範囲
【補正対象項目名】全文
【補正方法】変更
【補正の内容】
【特許請求の範囲】
【請求項１】
電力を蓄積するバッテリと、
外部電源からの電力をバッテリに供給する充電制御部と、
駆動電流を供給されて駆動する負荷と、
負荷の駆動要求信号を受け取る通信管理部と、
駆動要求信号にしたがって、前記負荷に駆動電流を供給する負荷制御部と、を備えた端末装置であって、
前記充電制御部は、前記通信管理部が駆動要求信号を受け取らない場合に第１モードで前記バッテリを充電制御し、前記通信管理部が駆動要求信号を受け取った場合に第２モードで前記バッテリを充電制御することを特徴とする端末装置。
【請求項２】
前記充電制御部は、第１モードにおいて、第２モードよりも高い充電電流で前記バッテリを充電制御することを特徴とする請求項１に記載の端末装置。
【請求項３】
前記負荷制御部は、前記通信管理部が駆動要求信号を受け取ってから所定の第１時間の経過後に前記負荷に駆動電流を供給することを特徴とする請求項１または２に記載の端末装置。
【請求項４】
前記充電制御部は、第２モードにおいて、前記通信管理部が駆動要求信号を受け取らない期間が所定の第２時間に達すると、充電制御を第１モードに切り替えることを特徴とする請求項１から３のいずれかに記載の端末装置。
【請求項５】
外部電源からの供給電流には上限が設定されていることを特徴とする請求項１から４のいずれかに記載の端末装置。
【請求項６】
前記バッテリの充電中、前記通信管理部が駆動要求信号を受け取ると、前記負荷制御部は、外部電源からの供給電流の一部を、前記負荷に駆動電流として供給することを特徴とする請求項５に記載の端末装置。
【請求項７】
前記充電制御部は、第１モードにおいて、予備充電電流Ｉ１による予備充電後、最大充電電流をＩ２（Ｉ２＞Ｉ１）とする充電を実行することを特徴とする請求項１から６のいずれかに記載の端末装置。
【請求項８】
前記充電制御部は、第２モードにおいて、最大充電電流をＩ３（Ｉ３＜Ｉ２）とする充電を実行することを特徴とする請求項７に記載の端末装置。
【請求項９】
前記充電制御部は、充電によりバッテリ電圧が満充電電圧に達すると、満充電電圧による定電圧充電を実行することを特徴とする請求項７または８に記載の端末装置。
【請求項１０】
前記充電制御部は、バッテリ電圧を監視し、電圧値が所定値Ｖ１を下回ると自律的に再充電を行う機能を有し、
前記通信管理部は、バッテリ電圧を監視し、電圧値が所定値Ｖ２（Ｖ２＜Ｖ１）以上であれば、前記充電制御部に充電の禁止を通知し、電圧値がＶ２を下回ると、前記充電制御部に充電の許可を通知することを特徴とする請求項１から９のいずれかに記載の端末装置。
【請求項１１】
バッテリを充電制御する方法であって、
第１モードでバッテリを充電制御するステップと、
負荷の駆動要求信号を受け取るステップと、
駆動要求信号を受け取ると、第２モードでバッテリを充電制御するステップと、
駆動要求信号にしたがって、負荷に駆動電流を供給するステップと、
を有することを特徴とするバッテリ充電制御方法。
【請求項１２】
コンピュータに、
第１モードでバッテリを充電制御する機能と、
負荷の駆動要求信号を受け取る機能と、
駆動要求信号を受け取ると、第２モードでバッテリを充電制御する機能と、
駆動要求信号にしたがって、負荷に駆動電流を供給する機能と、
を実現させるためのプログラム。
【請求項１３】
ゲーム装置および無線ゲームコントローラを備えたゲームシステムであって、無線ゲームコントローラは、ゲーム装置とＵＳＢケーブルで接続されることで充電されるものであって、
前記無線ゲームコントローラは、
電力を蓄積するバッテリと、
ゲーム装置からの電力をバッテリに供給する充電制御部と、
駆動電流を供給されて駆動する振動子と、
振動子の駆動要求信号を受け取る通信管理部と、
駆動要求信号にしたがって、前記振動子に駆動電流を供給する負荷制御部と、を備え、
前記充電制御部は、前記通信管理部が駆動要求信号を受け取らない場合に第１モードで前記バッテリを充電制御し、前記通信管理部が駆動要求信号を受け取った場合に第２モードで前記バッテリを充電制御することを特徴とするゲームシステム。
【請求項１４】
前記通信管理部は、無線ゲームコントローラがＵＳＢケーブルでゲーム装置と接続されると、信号線を介してゲーム装置とデータを送受信することを特徴とする請求項１３に記載のゲームシステム。
【手続補正２】
【補正対象書類名】明細書
【補正対象項目名】発明の名称
【補正方法】変更
【補正の内容】
【発明の名称】端末装置、バッテリ充電制御方法およびゲームシステム